(57)【要約】【課題】静電気を確実に除去することができ、静電気が接点部材に流れることを確実に防止することができるようにする。【解決手段】一面に電極パッドを備えるカードを保持するカード保持部材が挿入されるカード用コネクタであって、カードの電極パッドと接触する端子が配設されたハウジングと、ハウジングに取付けられ、少なくともハウジング及びカード用コネクタに挿入されたカード保持部材の一部を覆うカバー部材と、カード用コネクタに挿入されたカード保持部材を検出する検出スイッチの接点部材とを備え、カバー部材は、カード用コネクタに挿入されたカード保持部材を保持する保持ばね部を含み、カード保持部材は、カード用コネクタに挿入されるとき、保持ばね部に接触した後に接点部材に接触する。【選択図】図１
2014170627.tif 000002
【特許請求の範囲】
【請求項１】
（ａ）一面に電極パッドを備えるカードを保持するカード保持部材が挿入されるカード用コネクタであって、
（ｂ）前記カードの電極パッドと接触する端子が配設されたハウジングと、
（ｃ）該ハウジングに取付けられ、少なくとも該ハウジング及び前記カード用コネクタに挿入されたカード保持部材の一部を覆うカバー部材と、
（ｄ）前記カード用コネクタに挿入されたカード保持部材を検出する検出スイッチの接点部材とを備え、
（ｅ）前記カバー部材は、前記カード用コネクタに挿入されたカード保持部材を保持する保持ばね部を含み、
（ｆ）前記カード保持部材は、前記カード用コネクタに挿入されるとき、前記保持ばね部に接触した後に前記接点部材に接触することを特徴とするカード用コネクタ。
【請求項２】
前記カード保持部材は、前記カードの側面を囲繞する導電性の枠部材を含む請求項１に記載のカード用コネクタ。
【請求項３】
前記保持ばね部は、前記ハウジングの幅方向内側を向いて膨出する保持用凸部を含み、前記カード保持部材は、外側面に保持用凹部が形成された側枠部を含み、
前記保持ばね部は、前記保持用凸部が保持用凹部と係合して前記カード保持部材を保持する請求項１又は２に記載のカード用コネクタ。
【請求項４】
前記カード保持部材は、前記カード用コネクタへの挿入方向前方に位置する前枠部を含み、該前枠部が前記接点部材に接触する請求項１〜３のいずれか１項に記載のカード用コネクタ。
【請求項５】
前記枠部材は、前面視において、両端に突出部を備える略ワ冠状の形状を備え、
前記ハウジングとカバー部材との間に形成された前記カード保持部材が挿入される挿入口は、両端に突出部を備える略ワ冠状の形状を備える請求項２〜４のいずれか１項に記載のカード用コネクタ。
【請求項６】
前記枠部材は後端に形成された後板部を含み、該後板部の幅方向の寸法は、前記挿入口の幅方向の寸法よりも大きい請求項５に記載のカード用コネクタ。
【請求項７】
前記前枠部は、前面視において、前記カード保持部材に保持されたカードの電極パッドに対応する位置に形成された凹入部を備え、該凹入部は、前記カード保持部材に保持されたカードの下面よりも低い請求項４に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種カードを利用するために、カード用コネクタを備えている（例えば、特許文献１参照。）。
【０００３】
図７は従来のカード用コネクタを示す図である。
【０００４】
図において、８１１は、絶縁性の樹脂材料から成るカード用コネクタのハウジングであり、収容部８１８を備え、図示されないカードが内部に装填（てん）されたカード用トレイ９６１を収容する。前記カードは、例えば、ＳＩＭカードであって、下面に図示されない電極パッドを備え、該電極パッドはカード用トレイ９６１の下面に露出している。
【０００５】
そして、前記収容部８１８の底板部には、金属から成る複数の端子８５１が配設されている。図に示される例においては、前記カードの電極の配列に適合するように、端子８５１が、２列に並ぶように配列されている。なお、端子８５１は、その一部が図示されない配線基板の表面の接続パッドにはんだ付されることにより、配線基板の導電トレースを介して、電子機器の各種電子部品と導通している。
【０００６】
また、８６１は金属板から成るシェルであり、ハウジング８１１の周囲を覆うようにして、前記ハウジング８１１に取付けられる。そして、収容部８１８の底板部とシェル８６１の天板部との間に形成された空間にカード用トレイ９６１が挿入される。なお、前記ハウジング８１１内には、挿入されたカード用トレイ９６１を排出する方向に付勢力を発揮する圧縮ばね部材８８２と、挿入されたカード用トレイ９６１をロックしてハウジング８１１内に保持するロック部材８２１とが配設されている。
【０００７】
一方、前記カード用トレイ９６１は、後板部９６３と、該後板部９６３から前方に延出して前記カードの上面を覆う天板部９６２と、該天板部９６２の側端から突出するばね受部９７２及び係合突起９７３とを備える。前記ハウジング８１１内にカード用トレイ９６１が挿入されると、前記ばね受部９７２の前端は、圧縮ばね部材８８２の後端と当接し、前記圧縮ばね部材８８２の付勢力を受ける。また、前記係合突起９７３がロック部材８２１と係合することによって、カード用トレイ９６１は、前記圧縮ばね部材８８２の付勢力に抗して、ハウジング８１１内に保持される。
【先行技術文献】
【特許文献】
【０００８】
【特許文献１】特開２０１２−１４６４８９号公報
【発明の概要】
【発明が解決しようとする課題】
【０００９】
しかしながら、前記従来のカード用コネクタにおいては、カード用トレイ９６１をハウジング８１１内に挿入する際に、カード用コネクタのユーザ等に帯電している静電気がカード用トレイ９６１から端子８５１等に流れることによって、該端子８５１等が導通している電子機器の各種電子部品が、静電気による損傷を受けてしまうことがある。
【００１０】
一般的には、シェル８６１が配線基板の接地ラインに接続されているので、カード用トレイ９６１をハウジング８１１内に挿入する際にカード用トレイ９６１がシェル８６１に接触すれば、静電気は、前記接地ラインを通して除去されるので、電子機器の各種電子部品に影響を及ぼすことがない。
【００１１】
しかし、シェル８６１の開口は、カード用トレイ９６１が挿入される部位であるから、カード用トレイ９６１の外形よりも大きくなるように形成されている。したがって、カード用トレイ９６１をハウジング８１１内に挿入する際に、必ずしもカード用トレイ９６１がシェル８６１に接触するとは限らないので、静電気がシェル８６１を通して除去される保証はない。
【００１２】
本発明は、前記従来のカード用コネクタの問題点を解決して、カード保持部材を挿入する際に、該カード保持部材がカバー部材の保持ばね部に接触した後に接点部材に接触するようにして、静電気を確実に除去することができ、静電気が接点部材に流れることを確実に防止することができる信頼性の高いカード用コネクタを提供することを目的とする。
【課題を解決するための手段】
【００１３】
そのために、本発明のカード用コネクタにおいては、一面に電極パッドを備えるカードを保持するカード保持部材が挿入されるカード用コネクタであって、前記カードの電極パッドと接触する端子が配設されたハウジングと、該ハウジングに取付けられ、少なくとも該ハウジング及び前記カード用コネクタに挿入されたカード保持部材の一部を覆うカバー部材と、前記カード用コネクタに挿入されたカード保持部材を検出する検出スイッチの端子とを備え、前記カバー部材は、前記カード用コネクタに挿入されたカード保持部材を保持する保持ばね部を含み、前記カード保持部材は、前記カード用コネクタに挿入されるとき、前記保持ばね部に接触した後に前記接点部材に接触する。
【００１４】
本発明の他のカード用コネクタにおいては、さらに、前記カード保持部材は、前記カードの側面を囲繞（にょう）する導電性の枠部材を含む。
【００１５】
本発明の更に他のカード用コネクタにおいては、さらに、前記保持ばね部は、前記ハウジングの幅方向内側を向いて膨出する保持用凸部を含み、前記カード保持部材は、外側面に保持用凹部が形成された側枠部を含み、前記保持ばね部は、前記保持用凸部が保持用凹部と係合して前記カード保持部材を保持する。
【００１６】
本発明の更に他のカード用コネクタにおいては、さらに、前記カード保持部材は、前記カード用コネクタへの挿入方向前方に位置する前枠部を含み、該前枠部が前記接点部材に接触する。
【００１７】
本発明の更に他のカード用コネクタにおいては、さらに、前記枠部材は、前面視において、両端に突出部を備える略ワ冠状の形状を備え、前記ハウジングとカバー部材との間に形成された前記カード保持部材が挿入される挿入口は、両端に突出部を備える略ワ冠状の形状を備える。
【００１８】
本発明の更に他のカード用コネクタにおいては、さらに、前記枠部材は後端に形成された後板部を含み、該後板部の幅方向の寸法は、前記挿入口の幅方向の寸法よりも大きい。
【００１９】
本発明の更に他のカード用コネクタにおいては、さらに、前記前枠部は、前面視において、前記カード保持部材に保持されたカードの電極パッドに対応する位置に形成された凹入部を備え、該凹入部は、前記カード保持部材に保持されたカードの下面よりも低い。
【発明の効果】
【００２０】
本発明によれば、カード用コネクタは、カード用トレイを挿入する際に、該カード保持部材がカバー部材の保持ばね部に接触した後で接点部材に接触するようになっている。これにより、静電気を確実に除去することができ、静電気が接点部材に流れることを確実に防止することができ、高い信頼性を得ることができる。
【図面の簡単な説明】
【００２１】
【図１】本発明の実施の形態におけるカード用トレイのカードを収容した状態を示す斜視図であって、（ａ）は後方斜め上から観た斜視図、（ｂ）は前方斜め下から観た斜視図である。
【図２】本発明の実施の形態におけるカード用トレイの五面図であって、（ａ）は後面図、（ｂ）は上面図、（ｃ）は前面図、（ｄ）は側面図、（ｅ）は下面図である。
【図３】本発明の実施の形態におけるカード用コネクタの分解斜視図である。
【図４】本発明の実施の形態におけるカード用コネクタの四面図であって、（ａ）は前面図、（ｂ）は上面図、（ｃ）は後面図、（ｄ）は側面図である。
【図５】本発明の実施の形態におけるカード用トレイの挿入前後のカード用コネクタを示す斜視図であって、（ａ）はカード用トレイの挿入前を示す図、（ｂ）はカード用トレイの挿入後を示す図である。
【図６】本発明の実施の形態におけるカード用コネクタにカード用トレイを挿入する動作を説明する上面図であって、（ａ）〜（ｃ）は各工程を示す図である。
【図７】従来のカード用コネクタを示す図である。
【発明を実施するための形態】
【００２２】
以下、本発明の実施の形態について図面を参照しながら詳細に説明する。
【００２３】
図１は本発明の実施の形態におけるカード用トレイのカードを収容した状態を示す斜視図、図２は本発明の実施の形態におけるカード用トレイの五面図である。なお、図１において、（ａ）は後方斜め上から観た斜視図、（ｂ）は前方斜め下から観た斜視図であり、図２において、（ａ）は後面図、（ｂ）は上面図、（ｃ）は前面図、（ｄ）は側面図、（ｅ）は下面図である。
【００２４】
図において、１６１は本実施の形態におけるカード保持部材としてのカード用トレイであり、図１に示されるように、カード１０１を収容して保持した状態で、図示されない電子機器に取付けられた後述されるカード用コネクタ１に挿入される。つまり、カード１０１は、カード用トレイ１６１に収容され、カード用コネクタ１を介して、電子機器に装着される。なお、該電子機器は、例えば、パーソナルコンピュータ、携帯電話機、通信モデム、ＰＤＡ、デジタルカメラ、ビデオカメラ、音楽プレーヤ、ゲーム機、車両用ナビゲーション装置等であるが、いかなる種類の機器であってもよい。
【００２５】
前記カード１０１は、例えば、ＳＩＭカード、マイクロＳＩＭ（ｍｉｃｒｏＳＩＭ）カード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。
【００２６】
本実施の形態において、前記カード１０１は、図１に示されるように、全体的に略矩（く）形の板状の形状を有し、その一面（図に示される例においては下面１１１ａ）に、端子部材である電極パッドとしてのコンタクトパッド１５１が、複数、前端１１１ｆ及び後端１１１ｒに沿って並ぶように配設されている。図に示される例では、３つずつ、２列に並ぶように配設されている。すなわち、コンタクトパッド１５１は、カード１０１の幅方向に延在する２本の列を成すように配列されている。なお、他面、すなわち、下面１１１ａの反対側の面である上面１１１ｂには、コンタクトパッド１５１が配設されていない。さらに、後端１１１ｒの左右両端と側端１１１ｓとを結合する角部の一方、具体的には、下面１１１ａにおける後方右角部には、斜めに切欠かれた傾斜部としての切欠部１１１ｃが形成されている。
【００２７】
なお、本実施の形態において、カード用コネクタ１、カード用トレイ１６１及びカード１０１の各部の構成及び動作を説明するために使用される上、下、左、右、前、後等の方向を示す表現は、絶対的なものでなく相対的なものであり、カード用コネクタ１、カード用トレイ１６１、カード１０１又はそれらの部品が図に示される姿勢である場合に適切であるが、カード用コネクタ１、カード用トレイ１６１、カード１０１又はそれらの部品の姿勢が変化した場合には、姿勢の変化に応じて変更して解釈されるべきものである。
【００２８】
ここで、前記カード用トレイ１６１は、導電性の金属から成る板材等の素材に打抜き、折曲げ等の加工を施して一体的に形成された部材であって、カード１０１を収容するカード収容空間としての空間部１６６の四辺を囲繞する略矩形の枠部材１６７を備える。そして、該枠部材１６７は、幅方向に延在する互いに平行な後枠部１６２及び前枠部１６５と、前後方向に延在し、後枠部１６２の両端と前枠部１６５の両端とを連結する左右一対の側枠部１６４とを含んでいる。なお、前記後枠部１６２の後面には、後板部１６３が一体的に形成されている。
【００２９】
前記空間部１６６は、カード用トレイ１６１をその上面１６１ｂから下面１６１ａまで貫通する略矩形の空間であり、その四辺を後枠部１６２、前枠部１６５及び側枠部１６４によって画定される。そして、前記空間部１６６内に収容されたカード１０１の側面１１２（下面１１１ａ及び上面１１１ｂと直交する方向に延在し、下面１１１ａ及び上面１１１ｂを連結する面）は、後枠部１６２、前枠部１６５及び側枠部１６４の内側面と対向した状態で、前記枠部材１６７によって囲繞される。なお、一対の側枠部１６４の内側面におけるカード用トレイ１６１の下面１６１ａ側端からは、互いに対向する庇（ひさし）部１６４ｂが延出する。左右一対の庇部１６４ｂは、前後方向に延在し、空間部１６６内に収容されたカード１０１の下面１１１ａの左右両側端近傍を支持するカード支持部として機能する。前記庇部１６４ｂの側枠部１６４の内側面からの突出量は、わずかであって、カード１０１の下面１１１ａに配設されたコンタクトパッド１５１と干渉しないようになっている。つまり、前記空間部１６６は、カード用トレイ１６１の下面１６１ａにおいて、少なくともコンタクトパッド１５１と干渉しない程度の大きさに設定されている。
【００３０】
また、前記後板部１６３は、カード用トレイ１６１の厚さ方向（図２（ｂ）における紙面に垂直な方向）の寸法が、後枠部１６２、前枠部１６５及び側枠部１６４よりも大きく形成されている。さらに、前記後板部１６３の両端の少なくとも一方には、カード用トレイ１６１の幅方向に突出する凸部１６３ａが形成されている。これにより、前記後板部１６３は、カード用トレイ１６１が前後逆さまの姿勢でカード用コネクタ１に挿入されること、すなわち、誤挿入を防止する機能を発揮するとともに、カード用コネクタ１のユーザがカード用トレイ１６１を手指等によって操作する際に、把持や操作を容易にする機能を発揮する。
【００３１】
前記枠部材１６７は、カード用トレイ１６１の厚さ方向の寸法が、前枠部１６５、後枠部１６２、側枠部１６４の順に大きくなるように形成されているが、カード用トレイ１６１の上面１６１ｂにおいては面一となるように形成されている。なお、前記カード用トレイ１６１の上面１６１ｂは、空間部１６６内に収容されたカード１０１の上面１１１ｂとほぼ面一となることが望ましい。また、後枠部１６２の下面１６１ａ側の面は、空間部１６６内に収容されたカード１０１の下面１１１ａとほぼ面一となることが望ましい。
【００３２】
さらに、前記後枠部１６２における側枠部１６４と連結される角部の一方、具体的には、後方右角部には、傾斜部１６２ｃが形成されている。該傾斜部１６２ｃは、カード姿勢規制部として機能し、図１に示されるように、カード１０１が正規の姿勢である場合には、カード用トレイ１６１内へのカード１０１の収容を許容するが、カード１０１が非正規の姿勢である場合には、カード用トレイ１６１内へのカード１０１の収容を許容しない、すなわち、空間部１６６内へカード１０１を収容することができないようにする。具体的には、前記傾斜部１６２ｃは、正規の姿勢で空間部１６６内に収容されたカード１０１の切欠部１１１ｃに近接して対向するように形成される。したがって、非正規の姿勢、例えば、前後逆様、表裏逆様等の姿勢のカード１０１をカード用トレイ１６１の空間部１６６内へ入れて収容することができない。
【００３３】
また、図１（ｂ）及び図２（ｃ）から明らかなように、前面視において、側枠部１６４の前端面１６４ｃは、前枠部１６５の両端において下面１６１ａ側へ突出する突出部を構成する。つまり、カード用トレイ１６１は、前面視において、略ワ冠状の形状を備える。そして、前記突出部は、カード用トレイ１６１が上下逆さまの姿勢でカード用コネクタ１に挿入されること、すなわち、誤挿入を防止する機能を発揮する。また、前枠部１６５の下面１６１ａ側の面は、空間部１６６内に収容されて保持されたカード１０１の下面１１１ａよりも低い、すなわち、上面１６１ｂ寄りに位置することが望ましい。これにより、カード用トレイ１６１がカード用コネクタ１に挿入される際に、前枠部１６５が後述される端子５１に接触することが防止される。さらに、前枠部１６５には、前面視において、カード１０１のコンタクトパッド１５１の各々に対応する位置、より詳細には、後述される端子５１の接触部５１ｃの各々に対応する位置に凹入部１６５ａが形成されていることが望ましい。該凹入部１６５ａの下面１６１ａ側の面は、空間部１６６内に収容されて保持されたカード１０１の下面１１１ａよりも十分に低く形成されているので、カード用トレイ１６１がカード用コネクタ１に挿入される際に、前枠部１６５が端子５１に接触することが確実に防止される。
【００３４】
さらに、一対の側枠部１６４の外側面における前端寄り、すなわち、前端面１６４ｃ寄りの部分には、カード用トレイ１６１がカード用コネクタ１内で保持されるための保持用凹部１６８が形成されている。該保持用凹部１６８は、側枠部１６４の外側面に対する傾斜角度が急な前方傾斜面１６８ａ及び傾斜角度が緩やかな後方傾斜面１６８ｂを含んでいる。また、側枠部１６４の外側面における前方傾斜面１６８ａよりも前端面１６４ｃ寄りの前側面１６４ａは、カード用トレイ１６１がカード用コネクタ１に挿入される際に、後述される第１保持部材６５に最初に接触する部分である。
【００３５】
このように、本実施の形態におけるカード用トレイ１６１は、その上面１６１ｂから下面１６１ａまで貫通する空間部１６６内にカード１０１を収容し、該カード１０１の側面１１２を囲繞し、下面１１１ａ及び上面１１１ｂのいずれをも覆わない構造を備えているので、厚さ方向の寸法を小さくすることができる。したがって、カード用コネクタ１を低背化することができる。また、樹脂よりも強度の高い金属から成るので、前後方向及び幅方向の寸法を小さくしても、十分な強度を維持することができる。したがって、カード用コネクタ１を小型化することができる。
【００３６】
次に、本実施の形態において、前記カード用トレイ１６１を使用するカード用コネクタ１について説明する。
【００３７】
図３は本発明の実施の形態におけるカード用コネクタの分解斜視図、図４は本発明の実施の形態におけるカード用コネクタの四面図である。なお、図４において、（ａ）は前面図、（ｂ）は上面図、（ｃ）は後面図、（ｄ）は側面図である。
【００３８】
本実施の形態において、カード用コネクタ１は、合成樹脂等の絶縁性材料によって一体的に成形されたハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、ハウジング１１及びカード用コネクタ１に挿入されたカード用トレイ１６１の少なくとも一部の上方を覆うようになっている。そして、前記カード用コネクタ１は、概略、扁（へん）平な直方体形状を備え、前記電子機器に取付けられ、後方（図４（ｂ）における下方）の挿入口１８から、ハウジング１１にカード用トレイ１６１が挿入される。具体的には、ハウジング１１とシェル６１との間に形成される空間内にカード用トレイ１６１が挿入される。
【００３９】
なお、本実施の形態においては、カード用コネクタ１に挿入するカード用トレイ１６１の進行方向前方（図４（ｂ）における上方）の端部を前端部１Ｆと称し、進行方向後方（図４（ｂ）における下方）の端部を後端部１Ｒと称する。
【００４０】
図に示されるように、ハウジング１１は、略矩形の平板状部材である底壁部１１ｂ、及び、ハウジング１１におけるカード用トレイ１６１の挿入方向前方の端部、すなわち、前端部１１ｆに沿って延在し、底壁部１１ｂから立設する奥壁部１１ａを有する。なお、ハウジング１１におけるカード用トレイ１６１の挿入方向後方の端部は、後端部１１ｒと称する。
【００４１】
ここで、底壁部１１ｂは、接続端子としての端子５１を保持する端子保持凹部１１ｃを備える。該端子保持凹部１１ｃは、底壁部１１ｂを板厚方向に貫通する開口であり、ハウジング１１の幅方向に延在する列を成すように、並んで配設されている。図に示される例では、３つずつ、２列に並ぶように配設されている。すなわち、端子保持凹部１１ｃ、及び、各端子保持凹部１１ｃ内に１つずつ保持される端子５１は、ハウジング１１の幅方向に延在する２本の列を成すように配列されている。
【００４２】
端子５１は、その基部５１ａの少なくとも一部が底壁部１１ｂに埋込まれ、また、その他の部分が端子保持凹部１１ｃ内に露出している。具体的には、端子５１は、いわゆるオーバーモールド成形によって、すなわち、ハウジング１１は、端子５１をあらかじめ内部にセットした金型のキャビティ内に絶縁性材料を充填することによって成形され、基部５１ａの少なくとも一部が、底壁部１１ｂを構成する絶縁性材料によって覆われることにより、底壁部１１ｂに埋込まれて保持されている。
【００４３】
そして、端子５１は、基部５１ａに基端が連結されたカンチレバー状の接触腕部５１ｂと、該接触腕部５１ｂの自由端、すなわち、先端に接続された接触部５１ｃとを備える。前記接触腕部５１ｂは、平面視において、略Ｍ字乃至山字状の形状を備え、その基端が基部５１ａに接続されている。さらに詳細には、前記接触腕部５１ｂは、各々が平面視において略Ｕ字乃至Ｊ字状の形状を備える左右一対の腕部５１ｂ１と、左右の腕部５１ｂ１を合流させて結合する合流部５１ｂ２とを備え、該合流部５１ｂ２の自由端、すなわち、先端に接触部５１ｃが接続されている。そして、少なくとも接触部５１ｃの上面は、カード挿入空間内にカード用トレイ１６１に収容されたカード１０１が挿入されていない状態では、底壁部１１ｂの上面より上方に位置している。
【００４４】
なお、前記端子５１において、左右一対の腕部５１ｂ１における前端部１１ｆに向けて延在する部分と、合流部５１ｂ２と、接触部５１ｃとから成る部分は、前端部１１ｆに近づくにつれて上昇するような、すなわち、前方に向けて斜め上方に延在するような側面形状を備える。また、接触腕部５１ｂ及び接触部５１ｃは、平面視において、端子保持凹部１１ｃ内に位置する。
【００４５】
前記端子５１は、接触部５１ｃが、カード用コネクタ１内に保持されたカード用トレイ１６１内のカード１０１のコンタクトパッド１５１の各々に接触するように、配設されている。したがって、端子５１の数及び配置の形態は、カード１０１のコンタクトパッド１５１の数及び配置の形態に適合するように、適宜変更される。
【００４６】
また、底壁部１１ｂには、該底壁部１１ｂを板厚方向に貫通するソルダーテール用開口１１ｄが形成されている。そして、該ソルダーテール用開口１１ｄには、各端子５１の基板接続部としてのソルダーテール部５１ｄが露出している。該ソルダーテール部５１ｄの各々は、底壁部１１ｂに埋込まれた図示されない連結部を介して、各端子５１の基部５１ａに連結されている。そして、ソルダーテール部５１ｄは、前記電子機器における配線基板等に形成された信号線、コンタクトパッド、端子等、すなわち、相手側端子部材に、はんだ付等によって電気的に接続される。
【００４７】
そして、ハウジング１１は、側縁に沿って前後方向に延在する一対の側壁部１１ｅを有し、一方の側壁部１１ｅの内側には、トレイ排出ロッド収容部１１ｇが形成されている。該トレイ排出ロッド収容部１１ｇには、カード用コネクタ１内に挿入されたカード用トレイ１６１を排出するためのトレイ排出機構におけるトレイ排出操作部材としてのプッシュロッド２２が前後方向にスライド可能に取付けられている。これにより、前記プッシュロッド２２は、一方の側壁部１１ｅに沿って前後方向にスライドすることができる。
【００４８】
前記プッシュロッド２２は、概略直線的な棒状又は帯板状の部材であるが、ハウジング１１から突出した後端部には、屈曲した操作部２２ａが一体的に接続されている。該操作部２２ａは、カード用コネクタ１のユーザが手指等によって、又は、ピン、ロッド等の補助部材を介して操作する際に、操作が容易となるような形状を備える。
【００４９】
また、前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６１に当接して、該カード用トレイ１６１に排出方向の力を付与する作用点部２１ａとして機能する。
【００５０】
さらに、前記トレイ排出ロッド収容部１１ｇ内には、カード用コネクタ１内に挿入されたカード用トレイ１６１を保持する保持ばね部としての第２保持部材８５が収容されている。該第２保持部材８５は、金属板等から成るばね性を備える帯板状の部材であり、その基端がハウジング１１の備える固定部材１１ｋによって固定され、その先端、すなわち、自由端がハウジング１１の幅方向に弾性的に変位可能なカンチレバー状の部材である。そして、前記第２保持部材８５は、その自由端が前端部１１ｆを向き、かつ、前記自由端が基端よりもハウジング１１の幅方向内側に位置するような姿勢で配設されるとともに、前記自由端の近傍に、ハウジング１１の幅方向内側を向いて膨出する保持用凸部８５ａが形成されている。なお、前記第２保持部材８５は、適宜省略することができる。
【００５１】
前記シェル６１は、概略矩形の天板部６２と、該天板部６２の側縁から立設する側板部６３とを有する。該側板部６３には、複数の掛止開口６３ａが形成され、シェル６１をハウジング１１の上側に取付けると、該ハウジング１１の側壁部１１ｅの外側面に形成された掛止突起１３に前記掛止開口６３ａが掛止され、これにより、シェル６１がハウジング１１に固定される。また、前記側板部６３の下端の任意の箇所には、側板部６３から立設しシェル６１の幅方向外側に向けて延出する基板接続部としてのソルダーテール部６４が形成されている。該ソルダーテール部６４は、前記電子機器における配線基板等の表面に形成された固定用パッド等に、はんだ付等によって固定される。そして、前記固定用パッド等の少なくとも一つが、配線基板等が備える接地ラインに接続されているので、前記シェル６１は接地される。なお、該シェル６１におけるカード用トレイ１６１の挿入方向前方及び後方の端部は、前端部６１ｆ及び後端部６１ｒと称する。
【００５２】
また、左右いずれか一方の側板部６３、具体的には、第２保持部材８５が収容されているトレイ排出ロッド収容部１１ｇと反対側の側板部６３には、カード用コネクタ１内に挿入されたカード用トレイ１６１を保持する保持ばね部としての第１保持部材６５が形成されている。該第１保持部材６５は、側板部６３の一部をシェル６１の幅方向内側に向けて押圧可能に折曲げ加工することによって形成されたばね性を備える板状の部材であり、その先端、すなわち、自由端がシェル６１の幅方向、すなわち、ハウジング１１の幅方向に弾性的に変位可能なカンチレバー状の部材である。そして、前記第１保持部材６５は、その基端が側板部６３に連結され、その自由端が前端部６１ｆを向き、かつ、前記自由端が基端よりもハウジング１１の幅方向内側に位置するような姿勢で配設されるとともに、前記自由端の近傍に、ハウジング１１の幅方向内側を向いて膨出する保持用凸部６５ａが形成されている。
【００５３】
さらに、カード用コネクタ１は、該カード用コネクタ１に挿入されたカード用トレイ１６１を検出する検出スイッチの接点部材を有する。具体的には、前記ハウジング１１の前端部１１ｆの近傍には、カード用トレイ１６１がカード用コネクタ１の所定位置（カード用トレイ１６１が第１保持部材６５及び第２保持部材８５によって保持されるとともに、カード用トレイ１６１にカード１０１が収容されている場合に各コンタクトパッド１５１が対応する端子５１の接触部５１ｃと確実に接触する位置）にまで挿入されたことを検出する検出スイッチとしてのトレイ検出スイッチの端子が配設されている。前記トレイ検出スイッチは、前端部１１ｆ及びその近傍に取付けられたカンチレバー状の接点部材としての第１接点部材５７と、底壁部１１ｂに形成されたスイッチ保持凹部１１ｉに保持された接点部材としての第２接点部材５８とによって形成される。前記スイッチ保持凹部１１ｉは、底壁部１１ｂを板厚方向に貫通する開口である。
【００５４】
前記第１接点部材５７は、前端部１１ｆに取付けられ、一部が前端部１１ｆから前方に突出する取付部５７ａ、基端が前記取付部５７ａに接続され、横方向に向けて延出するカンチレバー状の本体部５７ｂ、及び、該本体部５７ｂの先端、すなわち、自由端に接続された接触部５７ｃを有する。そして、前記取付部５７ａは奥壁部１１ａの側面とほぼ平行となり、本体部５７ｂは、カード用トレイ１６１がカード用コネクタ１に挿入されていない状態においては、奥壁部１１ａの側面に対して傾斜し、接触部５７ｃは、前端部１１ｆに向けて、すなわち、前方に向けて突出する。そして、カード用トレイ１６１が挿入されると、該カード用トレイ１６１の前枠部１６５が本体部５７ｂの自由端に当接する。一方、前記第２接点部材５８は、大部分が底壁部１１ｂに埋込まれ、一部が前端部１１ｆから前方に突出する取付部５８ａと、基端が前記取付部５８ａに接続され、少なくとも先端、すなわち、自由端がスイッチ保持凹部１１ｉ内に露出する接触部５８ｂとを有する。
【００５５】
そして、カード用トレイ１６１が挿入されていない状態においては、図３に示されるように、第１接点部材５７の接触部５７ｃが第２接点部材５８の接触部５８ｂと接触していないので、第１接点部材５７と第２接点部材５８とは接触しておらず、つまり、端子同士が接触しておらず、カード検出スイッチは非導通状態、すなわち、オフ（ＯＦＦ）になっている。
【００５６】
しかし、カード用トレイ１６１がカード用コネクタ１に挿入されて所定位置に到達すると、カード用トレイ１６１の前枠部１６５によって第１接点部材５７の本体部５７ｂの自由端が前端部１１ｆの方向に向けて押されて変位し、第１接点部材５７の接触部５７ｃが第２接点部材５８の接触部５８ｂに接触する。これにより、第１接点部材５７と第２接点部材５８とが接触し、つまり、端子同士が接触し、カード検出スイッチは導通状態、すなわち、オン（ＯＮ）になるので、カード用トレイ１６１がカード用コネクタ１の所定位置に到達したことが検出される。
【００５７】
なお、前記第１接点部材５７の取付部５７ａ及び第２接点部材５８の取付部５８ａは、前記電子機器における配線基板等に形成された信号線、コンタクトパッド、端子等、すなわち、相手側端子部材に、はんだ付等によって電気的に接続される。したがって、前記電子機器のプロセッサ等は、カード検出スイッチのオン及びオフを検出することができる。
【００５８】
また、ハウジング１１は、底壁部１１ｂの左右両側から幅方向外側に向けて延出するフランジ部１１ｈを備える。該フランジ部１１ｈは、底壁部１１ｂよりも薄肉の板部材であって、図４（ｃ）に示されるように、その下面が底壁部１１ｂの下面と面一となるように形成されている。したがって、フランジ部１１ｈの上面は、底壁部１１ｂの上面よりも下方に位置し、その結果、ハウジング１１の後端部１１ｒとシェル６１の後端部６１ｒとの間に形成される挿入口１８の形状は、図４（ｃ）に示されるように、幅方向全体に厚さが一定な細長い直方体状でなく、両端において下側へ突出する突出部１８ａを備える略ワ冠状となっている。
【００５９】
前述のように、カード用トレイ１６１の前枠部１６５が、前面視において、略ワ冠状の形状を備え、両端において突出部を備えているのであるから、前記挿入口１８は、前記前枠部１６５と協働して、カード用トレイ１６１が上下逆さまの姿勢でカード用コネクタ１に挿入されること、すなわち、誤挿入を防止する機能を発揮する。
【００６０】
また、前記挿入口１８の突出部１８ａ以外の部分の厚さ方向の寸法は、カード用トレイ１６１における後板部１６３の厚さ方向の寸法よりも小さく形成されている。さらに、前記挿入口１８の幅方向の寸法は、カード用トレイ１６１における後板部１６３の幅方向の寸法よりも小さく形成されている。したがって、前記挿入口１８は、前記後板部１６３と協働して、カード用トレイ１６１が前後逆さまの姿勢でカード用コネクタ１に挿入されること、すなわち、誤挿入を防止する機能を発揮する。
【００６１】
次に、前記構成のカード用コネクタ１の動作について説明する。まず、カード用トレイ１６１を挿入する場合の動作について説明する。
【００６２】
図５は本発明の実施の形態におけるカード用トレイの挿入前後のカード用コネクタを示す斜視図、図６は本発明の実施の形態におけるカード用コネクタにカード用トレイを挿入する動作を説明する上面図である。なお、図５において、（ａ）はカード用トレイの挿入前を示す図、（ｂ）はカード用トレイの挿入後を示す図であり、図６において、（ａ）〜（ｃ）は各工程を示す図である。
【００６３】
まず、ユーザは、手指等によって、カード１０１が収容されたカード用トレイ１６１をカード用コネクタ１の後方の挿入口１８からハウジング１１とシェル６１との間に形成されるカード挿入空間内に挿入する。
【００６４】
なお、図５及び６では、図示の都合上、カード１０１の描画が省略されている。つまり、カード用トレイ１６１は、カード１０１が収容されていない状態になっている。また、図６では、シェル６１の天板部６２の描画が省略されている。
【００６５】
ここで、カード用トレイ１６１は、その上面１６１ｂが上を向き、すなわち、シェル６１の天板部６２と向合い、前枠部１６５がカード用コネクタ１の前端部１Ｆの方を向くような姿勢、すなわち、正規姿勢で挿入される。そのため、カード１０１がカード用トレイ１６１内に収容されている場合には、コンタクトパッド１５１が配設されている下面１１１ａが開放された状態で下を向き、端子５１が配設されているハウジング１１の底壁部１１ｂと向合い、前端１１１ｆがカード用コネクタ１の前端部１Ｆの方を向くような姿勢となっている。
【００６６】
そして、カード用トレイ１６１が挿入口１８からハウジング１１とシェル６１との間に形成されるカード挿入空間内に挿入されると、前枠部１６５及び後枠部１６２の下面並びに空間部１６６内に収容されたカード１０１の下面１１１ａよりも下方に突出している側枠部１６４が、ハウジング１１における底壁部１１ｂの左右両側に形成された凹部にガイドされてカード挿入空間内を進行する。つまり、下方に突出している側枠部１６４の下面が、底壁部１１ｂの上面よりも下方に位置する左右両側のフランジ部１１ｈの上面に対向した状態で、カード用トレイ１６１はカード挿入空間内を進行する。
【００６７】
また、前枠部１６５の下面は、望ましくは、空間部１６６内に収容されたカード１０１の下面１１１ａよりも上面１６１ｂ寄りに位置するので、カード用トレイ１６１がカード挿入空間内に挿入される際に、端子５１の接触部５１ｃは、前枠部１６５に接触することなく、カード１０１の下面１１１ａに接触する。さらに、前枠部１６５には、望ましくは、端子５１の接触部５１ｃの各々に対応する位置に凹入部１６５ａが形成され、該凹入部１６５ａの下面１６１ａ側の面は、空間部１６６内に収容されたカード１０１の下面１１１ａよりも十分に低く形成されているので、カード用トレイ１６１がカード用コネクタ１に挿入される際に、前枠部１６５が端子５１に接触することが確実に防止される。
【００６８】
続いて、ユーザがカード用トレイ１６１をプッシュして更に押込むと、図６（ａ）に示されるように、第１保持部材６５の保持用凸部６５ａ及び第２保持部材８５の保持用凸部８５ａが、カード用トレイ１６１に接触する。具体的には、側枠部１６４の前側面１６４ａ乃至前端面１６４ｃ又は前枠部１６５が、第１保持部材６５の保持用凸部６５ａ及び第２保持部材８５の保持用凸部８５ａに接触する。前記第１保持部材６５は、導電性の金属から成るシェル６１に一体的に形成された部材であり、前記シェル６１は接地されているのであるから、カード用トレイ１６１も、第１保持部材６５の保持用凸部６５ａに接触すると接地された状態となる。したがって、前記ユーザが静電気を帯びていても、該静電気は、カード用トレイ１６１を介して、確実に除去される。
【００６９】
なお、図４（ｃ）に示されるように、初期状態、すなわち、カード用トレイ１６１が挿入される前の状態において、第１保持部材６５の保持用凸部６５ａ及び第２保持部材８５の保持用凸部８５ａは、幅方向内側に向ってカード挿入空間内に大きく突出した状態になっている。したがって、第１保持部材６５の保持用凸部６５ａ及び第２保持部材８５の保持用凸部８５ａは、カード挿入空間内に挿入されたカード用トレイ１６１に確実に接触する。また、前後方向に関し、第１保持部材６５の保持用凸部６５ａ及び第２保持部材８５の保持用凸部８５ａは、ほぼ同一位置にある。したがって、第１保持部材６５の保持用凸部６５ａ及び第２保持部材８５の保持用凸部８５ａは、カード挿入空間内に挿入されたカード用トレイ１６１に、ほぼ同時に接触する。
【００７０】
続いて、ユーザがカード用トレイ１６１をプッシュして更に押込むと、図６（ｂ）に示されるように、第１保持部材６５の保持用凸部６５ａと第２保持部材８５の保持用凸部８５ａとの間隔が押広げられ、第１保持部材６５の保持用凸部６５ａ及び第２保持部材８５の保持用凸部８５ａは、側枠部１６４の前側面１６４ａに沿って相対的にカード用トレイ１６１の後方に移動する。この際、ユーザの手指等が発揮する押圧力は、カード用トレイ１６１から第１保持部材６５及び第２保持部材８５に伝達され、該第１保持部材６５及び第２保持部材８５を弾性的に変形させる。そのため、カード用トレイ１６１は、第１保持部材６５及び第２保持部材８５のばね力による摩擦抵抗を受けるが、該摩擦抵抗がユーザの手指等が発揮する押圧力よりも小さいので、前記摩擦抵抗に抗して移動する。
【００７１】
また、図６（ｂ）に示されるように、カード検出スイッチの端子の一つである第１接点部材５７がカード用トレイ１６１に接触する。さらに、イジェクトレバー２１もカード用トレイ１６１に接触する。具体的には、前枠部１６５が、第１接点部材５７の本体部５７ｂの自由端及びイジェクトレバー２１の作用点部２１ａに接触する。このとき、カード用トレイ１６１が既に第１保持部材６５の保持用凸部６５ａに接触済みなので、静電気は、除去されている。したがって、第１接点部材５７に静電気が流れてカード検出スイッチを介して配線基板の信号線等に流れることがなく、電子機器等が静電気の影響を受けることがない。
【００７２】
続いて、ユーザがカード用トレイ１６１をプッシュして更に押込むと、図６（ｃ）に示されるように、カード用トレイ１６１がカード用コネクタ１の所定位置に到達する。このとき、前枠部１６５に押され、第１接点部材５７の本体部５７ｂの自由端が前端部１１ｆの方向に向けて変位し、第１接点部材５７の接触部５７ｃが第２接点部材５８の接触部５８ｂに接触する。これにより、第１接点部材５７と第２接点部材５８とが接触し、カード検出スイッチがオンになるので、カード用トレイ１６１がカード用コネクタ１の所定位置に到達したことが検出される。
【００７３】
また、図６（ｃ）に示されるように、カード用トレイ１６１がカード用コネクタ１の所定位置にまで前進することにより、イジェクトレバー２１の作用点部２１ａが、前枠部１６５に押されて前端部１１ｆの方向に向けて変位するので、イジェクトレバー２１の力点部２１ｂは、後端部１１ｒの方向に向けて変位する。そのため、前記力点部２１ｂと係合する係合部２２ｂを備えるプッシュロッド２２は、後端部１１ｒの方向にスライドし、図５（ｂ）に示されるように、操作部２２ａのハウジング１１からの突出量が、図５（ａ）に示されるような初期状態よりも大きくなる。
【００７４】
さらに、カード用トレイ１６１がカード用コネクタ１の所定位置に到達すると、第１保持部材６５の保持用凸部６５ａ及び第２保持部材８５の保持用凸部８５ａが、左右の側枠部１６４の保持用凹部１６８内に進入して係合する。これにより、カード用トレイ１６１は、カード用コネクタ１内における所定位置にロックされた状態で保持される。具体的には、カード用トレイ１６１の前後方向の変位が第１保持部材６５及び第２保持部材８５によって規制され、カード用トレイ１６１がカード用コネクタ１から抜出ることが防止される。また、第１保持部材６５及び第２保持部材８５によって左右から弾性的に挟持されるので、カード用トレイ１６１の幅方向の変位が規制される。なお、前述のように、第２保持部材８５は、省略することもできるが、カード用トレイ１６１内におけるカード用トレイ１６１を安定的に保持するという観点からは、省略しない方が望ましい。
【００７５】
そして、カード１０１がカード用トレイ１６１内に収容されている場合には、カード１０１は、カード用トレイ１６１とともに、所定位置に保持されることによって、カード用コネクタ１が実装された電子機器のプロセッサ等との間でデータの送受信を行うことができる状態となる。なお、カード１０１が所定位置に保持されているとき、カード用コネクタ１の端子５１は、その接触部５１ｃが、カード１０１のコンタクトパッド１５１の各々に接触して導通している。また、前述のように、カード用トレイ１６１が既に第１保持部材６５の保持用凸部６５ａに接触済みなので、静電気は、除去されている。したがって、静電気が端子５１を介して配線基板の信号線等に流れることがなく、電子機器等が静電気の影響を受けることがない。
【００７６】
ところで、電子機器にカード用コネクタ１以外のカード用コネクタが実装されているような場合には、ユーザがカード用コネクタ１を使用しないこともあり得る。そして、このようなときに、ユーザは、カード１０１を収容していないカード用トレイ１６１、すなわち、空のカード用トレイ１６１をカード用コネクタ１に挿入した状態で保管することが考えられる。このように、カード１０１を収容していないカード用トレイ１６１が挿入された場合にも、カード用トレイ１６１は、第１保持部材６５の保持用凸部６５ａに接触した後に第１接点部材５７に接触するのであるから、カード検出スイッチを介して配線基板の信号線等に流れて、電子機器等が静電気の影響を受けることがない。
【００７７】
また、カード用トレイ１６１の前枠部１６５には凹入部１６５ａが形成されているので、カード１０１を収容していないカード用トレイ１６１がカード用コネクタ１に挿入されても、前枠部１６５が端子５１に当接して該端子５１に損傷を与えることがない。
【００７８】
次に、カード用トレイ１６１をカード用コネクタ１から排出させる動作について説明する。
【００７９】
まず、ユーザが手指等によって、又は、ピン、ロッド等の補助部材を介してプッシュロッド２２の操作部２２ａをプッシュして押込むと、プッシュロッド２２の係合部２２ｂと係合するイジェクトレバー２１の力点部２１ｂは、前端部１１ｆの方向に向けて変位する。そのため、イジェクトレバー２１の作用点部２１ａに前枠部１６５が押されて、カード用トレイ１６１は、所定位置から後端部１１ｒの方向に向けて変位する。なお、第１保持部材６５の保持用凸部６５ａ及び第２保持部材８５の保持用凸部８５ａが左右の側枠部１６４の保持用凹部１６８内に進入して係合することによって、カード用トレイ１６１が所定位置にロックされた状態で保持されているので、イジェクトレバー２１の作用点部２１ａからは、ロックを解除するために十分な力が前枠部１６５に付与されることが必要となる。また、支点部２１ｃから作用点部２１ａまでの距離が支点部２１ｃから力点部２１ｂまでの距離より長い、というイジェクトレバー２１のレバー比を考慮すると、プッシュロッド２２から力点部２１ｂに付与される力は、作用点部２１ａから前枠部１６５に付与される力よりも大きい必要がある。しかし、ユーザの手指等が発揮する力は、十分に大きいと考えられるので、ユーザがプッシュロッド２２の操作部２２ａをプッシュして押込むと、容易にロックが解除され、カード用トレイ１６１は、所定位置から後端部１１ｒの方向に向けて変位する。
【００８０】
そして、ユーザがプッシュロッド２２をその最も前進可能な位置にまで押込むと、イジェクトレバー２１の作用点部２１ａは、図６（ａ）に示されるような位置にまで変位する。つまり、初期状態における第１接点部材５７の本体部５７ｂの自由端よりも、後端部１１ｒ寄りの位置にまで変位する。この場合、カード用トレイ１６１の後板部１６３は、カード用コネクタ１の挿入口１８から十分に大きく突出している。したがって、ユーザは、手指等によって後板部１６３を把持することにより、カード用トレイ１６１をカード用コネクタ１から引出して排出させることができる。また、カード用トレイ１６１は、第１保持部材６５の保持用凸部６５ａに接触しているものの、第１接点部材５７からは離間しているので、前記ユーザが静電気を帯びていても、該静電気は除去されるので、第１接点部材５７に静電気が流れてカード検出スイッチが静電気の影響を受けることがない。
【００８１】
このように、本実施の形態において、カード用コネクタ１は、下面１１１ａにコンタクトパッド１５１を備えるカード１０１を保持するカード用トレイ１６１が挿入される。そして、カード用コネクタ１は、カード１０１のコンタクトパッド１５１と接触する端子５１が配設されたハウジング１１と、ハウジング１１に取付けられ、少なくともハウジング１１及びカード用コネクタ１に挿入されたカード用トレイ１６１の一部を覆うシェル６１と、カード用コネクタ１に挿入されたカード用トレイ１６１を検出する検出スイッチの第１接点部材５７とを備え、シェル６１は、カード用コネクタ１に挿入されたカード用トレイ１６１を保持する第１保持部材６５を含み、カード用トレイ１６１は、カード用コネクタ１に挿入されるとき、第１保持部材６５に接触した後に第１接点部材５７に接触する。
【００８２】
これにより、カード用トレイ１６１を操作するユーザが静電気を帯びている場合であっても、該静電気は、カード用トレイ１６１及びシェル６１の第１保持部材６５を介して、確実に除去される。そして、カード用トレイ１６１が第１接点部材５７に接触するときには、カード用トレイ１６１が既に第１保持部材６５に接触済みなので、静電気は除去されている。したがって、第１接点部材５７及び該第１接点部材５７に電気的に接続された機器等が静電気の影響を受けることがなく、信頼性が向上する。
【００８３】
また、カード用トレイ１６１は、カード１０１の側面１１２を囲繞する導電性の枠部材１６７を含む。したがって、枠部材１６７がコンタクトパッド１５１から離間しているので、カード用トレイ１６１を操作するユーザが静電気を帯びている場合であっても、該静電気によってカード１０１が影響を受けることがない。
【００８４】
さらに、第１保持部材６５は、ハウジング１１の幅方向内側を向いて膨出する保持用凸部６５ａを含み、カード用トレイ１６１は、外側面に保持用凹部１６８が形成された側枠部１６４を含み、第１保持部材６５は、保持用凸部６５ａが保持用凹部１６８と係合してカード用トレイ１６１を保持する。したがって、カード用トレイ１６１は、カード用コネクタ１内においてロックされた状態で保持される。
【００８５】
さらに、カード用トレイ１６１は、カード用コネクタ１への挿入方向前方に位置する前枠部１６５を含み、前枠部１６５が第１接点部材５７に接触する。したがって、カード用トレイ１６１を操作するユーザが静電気を帯びている場合であっても、カード用トレイ１６１が第１接点部材５７に接触するときには、静電気が除去済みなので、第１接点部材５７に静電気が流れてカード検出スイッチが静電気の影響を受けることがない。
【００８６】
さらに、枠部材１６７は、前面視において、両端に突出部を備える略ワ冠状の形状を備え、ハウジング１１とシェル６１との間に形成されたカード用トレイ１６１が挿入される挿入口１８は、両端に突出部１８ａを備える略ワ冠状の形状を備える。したがって、カード用トレイ１６１が上下逆さまの姿勢でカード用コネクタ１に挿入されることが確実に防止される。
【００８７】
さらに、枠部材１６７は後端に形成された後板部１６３を含み、後板部１６３の幅方向の寸法は、挿入口１８の幅方向の寸法よりも大きい。したがって、カード用トレイ１６１が前後逆さまの姿勢でカード用コネクタ１に挿入されることが確実に防止される。
【００８８】
さらに、前枠部１６５は、前面視において、カード用トレイ１６１に保持されたカード１０１のコンタクトパッド１５１に対応する位置に形成された凹入部１６５ａを備え、凹入部１６５ａは、カード用トレイ１６１に保持されたカード１０１の下面１１１ａよりも低い。したがって、カード用トレイ１６１がカード用コネクタ１に挿入される際に、前枠部１６５が端子５１に接触することが確実に防止されるので、端子５１が損傷を受けることがない。
【００８９】
なお、本発明は前記実施の形態に限定されるものではなく、本発明の趣旨に基づいて種々変形させることが可能であり、それらを本発明の範囲から排除するものではない。
【産業上の利用可能性】
【００９０】
本発明は、カード用コネクタに適用することができる。
【符号の説明】
【００９１】
１    カード用コネクタ
１Ｆ、１１ｆ、６１ｆ    前端部
１Ｒ、１１ｒ、６１ｒ    後端部
１１、８１１    ハウジング
１１ａ    奥壁部
１１ｂ    底壁部
１１ｃ    端子保持凹部
１１ｄ    ソルダーテール用開口
１１ｅ    側壁部
１１ｇ    トレイ排出ロッド収容部
１１ｈ    フランジ部
１１ｉ    スイッチ保持凹部
１１ｋ    固定部材
１３    掛止突起
１８    挿入口
１８ａ    突出部
２１    イジェクトレバー
２１ａ    作用点部
２１ｂ    力点部
２１ｃ    支点部
２２    プッシュロッド
２２ａ    操作部
２２ｂ    係合部
５１、８５１    端子
５１ａ    基部
５１ｂ    接触腕部
５１ｂ１    腕部
５１ｂ２    合流部
５１ｃ、５７ｃ、５８ｂ    接触部
５１ｄ、６４    ソルダーテール部
５７    第１接点部材
５７ａ、５８ａ    取付部
５７ｂ    本体部
５８    第２接点部材
６１、８６１    シェル
６２、８６２    天板部
６３    側板部
６３ａ    掛止開口
６５    第１保持部材
６５ａ、８５ａ    保持用凸部
８５    第２保持部材
１０１    カード
１１１ａ、１６１ａ    下面
１１１ｂ、１６１ｂ    上面
１１１ｃ    切欠部
１１１ｆ    前端
１１１ｒ    後端
１１１ｓ    側端
１１２    側面
１５１    コンタクトパッド
１６１、９６１    カード用トレイ
１６２    後枠部
１６２ｃ    傾斜部
１６３、９６３    後板部
１６３ａ    凸部
１６４    側枠部
１６４ａ    前側面
１６４ｂ    庇部
１６４ｃ    前端面
１６５    前枠部
１６５ａ    凹入部
１６６    空間部
１６７    枠部材
１６８    保持用凹部
１６８ａ    前方傾斜面
１６８ｂ    後方傾斜面
８１８    収容部
８２１    ロック部材
８８２    圧縮ばね部材
９７２    ばね受部
９７３    係合突起
【図１】
2014170627.tif 000003
【図２】
2014170627.tif 000004
【図３】
2014170627.tif 000005
【図４】
2014170627.tif 000006
【図５】
2014170627.tif 000007
【図６】
2014170627.tif 000008
【図７】
2014170627.tif 000009